(57)【要約】      （修正有）【課題】大きなトレーニング効果が得られるとともに単調なトレーニングの中に適度な刺激を感じることができ、かつコンパクトに構成しうる身体鍛錬器を提供する。【解決手段】垂直に支持可能な基枠部２と、該基枠部の前部で昇降しうるハンドル軸３にハンドル４を設けたハンドル部５と、前記基枠部の後部で昇降可能に支持されるサドル軸６上端にサドル７を設けたサドル部８と、枢支軸にペダルを先端に有するクランクアームを設けた回転手段１２と、該回転手段の駆動により、前記ハンドル又はサドルを昇降する昇降手段１３とを具えるとともに、前記昇降手段は、前記枢支軸に取り付けられかつ前記ハンドル軸が下端部で摺接するカム輪と、揺動可能に軸支された揺動アームとからなり、しかも該揺動アームの後部は、前記サドル軸の下部と接して、該揺動アームの上向き揺動とともに前記サドル軸を押し上げることを特徴とする。【選択図】図１
0003118248.tif 000002
【実用新案登録請求の範囲】
【請求項１】
垂直に支持可能な基枠部と、該基枠部の前部で昇降しうるハンドル軸にハンドルを設けたハンドル部と、前記基枠部の後部で昇降可能に支持されるサドル軸上端にサドルを設けたサドル部と、前記基枠部に回転可能に支持された枢支軸に、前記サドルに着座する使用者が足駆動するペダルを先端に有するクランクアームを前記基枠部両側に設けた回転手段と、該回転手段の駆動により、前記ハンドル又はサドルを昇降する昇降手段とを具えるとともに、
前記昇降手段は、前記枢支軸に取り付けられかつ前記ハンドル軸が下端部で摺接するカム輪と、前記基枠部に垂直面内で揺動可能に軸支された揺動アームとからなり、
しかも、前記ハンドル軸は前記カム輪の上向き面で摺接するとともに、前記揺動アームは下向き面で摺接し、かつ該揺動アームの後部は、前記サドル軸の下部と接して、該揺動アームの上向き揺動とともに前記サドル軸を押し上げることを特徴とする身体鍛錬器。
【請求項２】
前記基枠部は、前記カム輪に押し上げられて昇降するハンドル軸に外挿してこれを支持するハンドル支持筒、及び揺動アームに押し上げられて昇降するサドル軸に外挿してこれを支持し、かつサドル軸の軸方向にのびる縦のスリットを設けたサドル支持筒を有し、
前記サドル軸は、前記縦のスリットからサドル支持筒の外へ突出し、前記揺動アームに係合する突片を有することを特徴とする請求項１記載の身体鍛錬器。
【請求項３】
前記ハンドル部、及びサドル部は、前記昇降手段との連係を解除して、ハンドル及びサドルの上下動を停止しうる解除手段が個々に形成され、ハンドル及びサドルがともに上下動する共動モード、サドルのみが上下動するサドル振動モード、ハンドルのみが上下動するハンドル振動モード、ハンドル及びサドルがともに静止する静止モードを選択してペダル漕ぎ運動できることを特徴とする請求項１又は２記載の身体鍛錬器。
【請求項４】
前記解除手段は、ハンドル支持筒内のハンドル軸を、カム輪に接触しえない高さに保持するハンドル軸保持手段からなることを特徴とする請求項３記載の身体鍛錬器。
【請求項５】
前記解除手段は、サドル支持筒内のサドル軸を、前記突片に揺動アームが接触しえない高さに保持するサドル軸保持手段からなることを特徴とする請求項３又は４記載の身体鍛錬器。
【請求項６】
前記解除手段は、ハンドル支持筒及びこれに挿通したハンドル軸、又はサドル支持筒及びこれに挿通したサドル軸を連続して貫通することにより、ハンドル軸、又はサドル軸を一定高さに維持しうる支持ピンを用いて形成されることを特徴とする請求項４又は５記載の身体鍛錬器。
【請求項７】
前記ハンドル軸の下端部には、カム輪に摺接するローラーが設けられるとともに、このローラーをカム輪に向けて押圧するバネを有する押圧手段を有することを特徴とする請求項１〜６のいずれかに記載の身体鍛錬器。
【考案の詳細な説明】
【技術分野】
【０００１】
本考案は、上下動による心地好い刺激を受けながら楽しくペダリング運動でき、しかも優れたトレーニング効果が得られる身体鍛錬器に関する。
【背景技術】
【０００２】
健康志向の風潮が強まる中、運動不足解消のため、手軽に屋内でトレーニングできる身体鍛錬器が多く提案されいる。そのなかでも、設置台にサドル部と、ペダルクランク部と、ハンドル部と、ペダルの重さを調節できる負荷装置とを設けて、ペダリング運動によってトレーングする自転車タイプの身体鍛錬器が普及している。
【０００３】
この種の身体鍛錬器を利用すれば、屋内で手軽に各個人の体力に合わせたサイクリング運動を行うことができる。しかしながら同じ運動姿勢を続けながら、ペダルを漕ぐ単純動作を繰り返すトレーニングであるため、鍛錬される箇所が限定されて鍛錬の効果に限界があるとともに、自転車で屋外を実走する時のような爽快感が得られず、長続きしないという問題がある。
【０００４】
そこで、図８に示すように、ハンドルａ及びサドルｂを支持した横コ字状のフレームｄを枢支軸ｅに軸着するとともに、ベルトｇを介してペダルクランクｆの運動に連係して回転するホイールｈを設け、このホイールｈと、前記フレームｂとの間にリンクｉを架け渡すことによって、クランクレバー機構ｊを構成し、ペダルクランクｆの回転に連動してハンドルａ及びサドルｂを前後に揺動させるトレーニング器が提案されている（例えば、特許文献１参照）。
【０００５】
このトレーニング器は、ペダリング運動とともに体が前後に揺れるため、乗馬感覚の動きが感じられ、この変化を体で楽しみながらトレーニングできる。しかしながら、脚を回転する運動に、上半身を前後に揺らす動きが伴うため、腰、脊椎などに無理な負担がかかり易く、同時に脚の運動リズムが崩れて、トレーニング効果を低下させることもある。
【０００６】
また、図９に示すように、クランク軸ｋに取り付けた偏芯カムｍの上面に摺接するローラーｎを設け、このローラーｎの上下動に連動してサドルｔが昇降する健康増進装置が提案されている（例えば、特許文献２参照）。
【０００７】
【特許文献１】特開２００２−２１００３７号公報
【特許文献２】実開平７−４３３４４号公報
【考案の開示】
【考案が解決しようとする課題】
【０００８】
前記の健康増進装置では、ペダルの回動に連動してサドルｔが連続して昇降するため、体を上下動させる変化が生まれて、使用者は一定の刺激を感じることができる。しかしトレーニング効果を得るには、一定時間以上運動を続ける必要があり、単調なサドルｔの昇降だけの変化では、体が直ぐに慣れてしまい、その刺激が薄れるという問題がある。さらには、サドルｔの昇降によって、全体重が繰り返し曲げ荷重としてクランク軸ｋに負荷するため、その軸受け機構と共に装置が大型化して、取扱い性を低下させるという問題がある。
【０００９】
本考案は、ハンドル軸が下端部で摺接するカム輪と、基枠部に垂直面内で揺動可能に軸支された揺動アームを具えた昇降手段を設けること基本とし、大きな鍛錬効果が得られるとともに単調なペダリング運動の中で適度な刺激を感じつつ楽しくトレーニングでき、かつコンパクトに構成しうる身体鍛錬器の提供を課題としている。
【課題を解決するための手段】
【００１０】
前記目的を達成するために、請求項１に係る考案では、垂直に支持可能な基枠部と、該基枠部の前部で昇降しうるハンドル軸にハンドルを設けたハンドル部と、前記基枠部の後部で昇降可能に支持されるサドル軸上端にサドルを設けたサドル部と、前記基枠部に回転可能に支持された枢支軸に、前記サドルに着座する使用者が足駆動するペダルを先端に有するクランクアームを前記基枠部両側に設けた回転手段と、該回転手段の駆動により、前記ハンドル又はサドルを昇降する昇降手段とを具えるとともに、前記昇降手段は、前記枢支軸に取り付けられかつ前記ハンドル軸が下端部で摺接するカム輪と、前記基枠部に垂直面内で揺動可能に軸支された揺動アームとからなり、しかも、前記ハンドル軸は前記カム輪の上向き面で摺接するとともに、前記揺動アームは下向き面で摺接し、かつ該揺動アームの後部は、前記サドル軸の下部と接して、該揺動アームの上向き揺動とともに前記サドル軸を押し上げることを特徴とする。
【００１１】
請求項２に係る考案では、前記基枠部は、前記カム輪に押し上げられて昇降するハンドル軸に外挿してこれを支持するハンドル支持筒、及び揺動アームに押し上げられて昇降するサドル軸に外挿してこれを支持し、かつサドル軸の軸方向にのびる縦のスリットを設けたサドル支持筒を有し、前記サドル軸は、前記縦のスリットからサドル支持筒の外へ突出し、前記揺動アームに係合する突片を有し、また請求項３に係る考案においては、前記ハンドル部、及びサドル部は、前記昇降手段との連係を解除して、ハンドル及びサドルの上下動を停止しうる解除手段が個々に形成され、ハンドル及びサドルがともに上下動する共動モード、サドルのみが上下動するサドル振動モード、ハンドルのみが上下動するハンドル振動モード、ハンドル及びサドルがともに静止する静止モードを選択してペダル漕ぎ運動できることを特徴とする。
【００１２】
請求項４に係る考案では、前記解除手段は、ハンドル支持筒内のハンドル軸を、カム輪に接触しえない高さに保持するハンドル軸保持手段からなり、また請求項５に係る考案においては、前記解除手段は、サドル支持筒内のサドル軸を、前記突片に揺動アームが接触しえない高さに保持するサドル軸保持手段からなることを特徴とする。
【００１３】
請求項６に係る考案では、前記解除手段は、ハンドル支持筒及びこれに挿通したハンドル軸、又はサドル支持筒及びこれに挿通したサドル軸を連続して貫通することにより、ハンドル軸、又はサドル軸を一定高さに維持しうる支持ピンを用いて形成され、また請求項７に係る考案においては、前記ハンドル軸の下端部には、カム輪に摺接するローラーが設けられるとともに、このローラーをカム輪に向けて押圧するバネを有する押圧手段を有することを特徴とする。
【考案の効果】
【００１４】
請求項１に係る考案においては、サドルに着座した使用者がペダルを足漕ぎしてトレーニングする動作に駆動されて、ハンドル又はサドルが上下動するため、使用者のペダルに対する姿勢が、一定のサイクルで変化を繰り返す。その結果、屋内のトレーニングであっても、その姿勢の変化に伴い、異なる筋肉に対して負荷が作用するとともに同じ筋肉に対しても微妙に変化した負荷が繰り返し作用して、バランスの良いトレーニング効果が得られる。同時に、一定周期で繰り返される上下動によって、ペダリング運動に軽快なリズム感が生まれ、単調になりがちな屋内トレーニングに躍動感が加わり、長時間の運動を飽きることなく楽しむことができる。
【００１５】
ペダルの足漕ぎの駆動力によりハンドル又はサドルを昇降させるため、上昇時にペダルの回転負荷が増加して運動量を高め、トレーニング効果を向上しうる。しかも前記回転負荷は周期的に増減を繰り返すため、筋肉に対して波状に増減する負荷が働いてこれを有効に刺激し、その結果筋力アップ効果が高まる。また、昇降手段のカム輪は、その上向き面でハンドル軸を押し上げ、他方揺動アームには下向き面で摺接して押し下げるため、上下双方から受ける負荷が相殺される。その結果カム輪を支持する枢支軸に対する負荷が低減して、滑らかなペダルの回動が得られるとともに機器を小型化できて屋内運動機器として便利に使用しうる。
【００１６】
請求項２に係る考案のように、上下動するハンドル軸、及びサドル軸を、ハンドル支持筒、及びサドル支持筒が外挿して支持すると、両軸がスムースに昇降動作できるため、ペダルが滑らかに回動できて、膝、足首などへの過度な負担を防止できる。
【００１７】
請求項３に係る考案のように、ハンドル及びサドルの上下動を停止しうる解除手段を個々に形成すると、その組み合わせ使用により、ハンドル及びサドルがともに上下動する共動モード、サドルのみが上下動するサドル振動モード、ハンドルのみが上下動するハンドル振動モード、ハンドル及びサドルがともに静止する静止モードを含む４種類の動作モードを選択してペダル漕ぎ運動できる。そのため、運動に種々の変化を与えることができ、これらを使い分けすることにより気分転換して楽しくトレーニングを行なえ、個人の好みによるモードの選択も自在である。しかも、その切り替えによる運動負荷の増減によって、使用者の体力、疲労度などに応じた運動量を選択できる。
【００１８】
請求項４に係る考案のように、カム輪に接触しえない高さに、ハンドル軸を保持するハンドル軸保持手段によって解除手段を構成すると、ハンドルの昇降動作を簡単な構造でしかも確実に解除でき、また請求項５に係る考案のように、突片が揺動アームに接触しえない高さにサドル軸を保持するハンドル軸保持手段によって解除手段を構成すると、サドルの昇降動作を簡単な構造でしかも確実に解除できる。
【００１９】
請求項６に係る考案のように、ハンドル支持筒及びこれに挿通したハンドル軸、又はサドル支持筒及びこれに挿通したサドル軸を連続して貫通する支持ピンを用いて解除手段を構成すると、支持ピンを挿通するだけの簡単な操作によって、ハンドル又はサドルの昇降動作を確実に解除でき、また請求項７に係る考案のように、ハンドル軸の下端部にカム輪に摺接するローラーを設け、このローラーをカム輪に押圧する押圧手段を設けると、ハンドル軸は跳ね上げられることがないとともに、ローラーがカム輪表面に沿って転動でき、その結果ハンドル軸はガタつくことなくスムースに上下動できる。
【考案を実施するための最良の形態】
【００２０】
以下、本考案の実施の一形態を、図示例とともに説明する。図１に示すように、身体鍛錬器１は、基枠部２と、この基枠部２の前部のハンドル部５と、後部のサドル部８と、ペダリング運動を行なう回転手段１２と、ハンドル４又はサドル７を上下動させる昇降手段１３とを具える。さらに本形態では、前記昇降手段１３の作用を解除してハンドル又はサドルの上下動を停止させうる解除手段２０を有する。
【００２１】
基枠部２は、機器の基盤を構成するもので、載置面に設置される座部２Ａと、この座部２Ａから立ち上がる立上部２Ｂとを含み構成される。前記座部２Ａは、本形態では、図１、３に示すように、中央で前後に伸びる幹軸部３１と、この幹軸部３１の前後端部から各々側方にのびる前腕部３２と、後腕部３３とからなり、略エ字状をなす。そして幹軸部３１は、扁平鋼管を用い、前腕部３２、及び後腕部３３は丸鋼管を用いて構成されるとともに幹軸部３１の前後端部に溶着される。更に前腕部３２、及び後腕部３３の端部には、滑り止め用のキャップ３４が冠着される。なお本明細書においては、ハンドル４が配されるとともに使用者が向く側を前とする。
【００２２】
前記立上部２Ｂは、前記幹軸部３１の前寄りで立ち上がるクランク支持部３５と、その前側に並んで立設されるホイル支持部３６と、クランク支持部３５の後側で少し後側へ傾いて幹軸部３１から立ち上がるサドル支持筒１８と、前記クランク支持部３５の上方に配置され少し前側へ傾いた立ち上がるハンドル支持筒１６と、前記サドル支持筒１８及びクランク支持部３５の中間で小高さで立ち上がるアーム支持部４０とを含み構成されたものを例示している。なお前記ハンドル支持筒１６は、前記サドル支持筒１８の中間から前に伸びるダウンチューブ３７の先端部に固着して支持されるとともに、前記クランク支持部３５の上端部との間に補助支持材（図示せず）を架け渡すことにより幹軸部３１に強固に取り付けられている。
【００２３】
前記サドル支持筒１８は、前後に長い角筒状をなし、例えば１０〜２５°程度、本形態では、１５°後へ傾いて取り付けられる。そしてその左側面下部には、縦長のスリット１７が形成され、また上部には、左右に貫通する後の支持孔３８が穿設されている。
【００２４】
前記ハンドル支持筒１６は、サドル支持筒１８と同様に、前後に長い角筒状をなし、例えば５〜２０°程度、本形態では、１０°前へ傾いて取り付けられる。そしてその上部には、左右に貫通する前の支持孔３９が穿設されている。
【００２５】
前記ハンドル部５は、縦長のハンドル軸３と、その上端部から左右にのびるハンドル４とを含み、本形態のハンドル４は、両側が上に向けて湾曲して、両腕を安定して支持しうるタイプのものが使用される。また本形態のハンドル軸３の下端には、ローラー２４が軸着されている。
【００２６】
また本形態のハンドル軸３は、図１、４に示すように、筒状のハンドル上軸３Ｕと、このハンドル上軸３Ｕよりも小径のハンドル下軸３Ｄとからなり、ハンドル下軸３Ｄの上部をハンドル上軸３Ｕの下部に挿入するとともに止めネジ４１で螺着一体化して構成される。なおハンドル上軸３Ｕ内で、ハンドル下軸３Ｄ上部をスライドさせることによりハンドル軸３の長さを増減でき、体格に応じて適合するハンドル高さに調整しうる点で好ましい。なおハンドル下軸３Ｄ上寄りに、左右に貫通する前の保持孔４２が穿設される。そしてこのハンドル軸３は、ハンドル下軸３Ｄをハンドル支持筒１６内に挿入することにより、基枠部２に上下スライド可能に支持される。
【００２７】
前記サドル部８は、図１、２に示すように、縦長のサドル軸６と、その上端部に取り付けられるサドル７とからなる。本形態のサドル軸６は、サドル上軸６Ｕと、このサドル上軸６Ｕよりも大径筒状のサドル下軸６Ｄとからなり、サドル上軸６Ｕの下部をサドル下軸６Ｄの上部に挿入するとともに止めボルト具４３を用いて緊結して構成される。止めボルト具４３を緩めるとともに、サドル下軸６Ｄ内でサドル上軸６Ｕの下部をスライドさせてサドル軸６の長さを増減した後、再度止めボルト具４３で固定すると、体格に応じて適合するサドル高さに調整しうる点で好ましい。
【００２８】
本形態のサドル下軸６Ｄは、その上部に左右に貫通する後の保持孔４４が穿設されるとともに、その下部に左側へのびる丸棒状の突片１９が形成される。そしてサドル軸６は、前記突片１９を前記スリット１７を通して外側へ突出させた状態で、前記サドル下軸６Ｄをサドル支持筒１８に挿入することにより、基枠部２に上下スライド可能に支持される。
【００２９】
前記回転手段１２は、図４に示すように、枢支軸９と、この枢支軸９に軸着されたクランクアーム１１と、ペダル１０とを含み、さらに本形態では、ペダリング回転運動に慣性モーメントを付加する惰性手段４５を有する。前記枢支軸９は、図示されないベアリング軸受を介して前記クランク支持部３５に軸支され、その両側に枢支軸９の軸方向に直角、かつ互いに反対方向へのびる左右のクランクアーム１１、１１を取り付けている。このクランクアーム１１の先端部にペダル１０が取り付けられ、通常の自転車同様、前記サドル７に着座した使用者が、足駆動によりペダル１０を漕いでサイクル運動できるよう構成される。
【００３０】
前記惰性手段４５は、前記枢支軸９に固定されてクランクアーム１１と一体に回動する大径のプーリ４６と、前記ホイル支持部３６に軸着されて一体に回動するフライホイル４７と、小径のプーリ４８と、大径、小径のプーリ４６、４８間に架け渡される伝動ベルト４９とを含み構成されたものを例示している。しかしてペダル１０の回動は、伝動ベルト４９を介して回転比率を高めつつフライホイル４７に伝えられ、このフライホイル４７の回転による慣性モーメントが、実走する自転車の惰性と類似した感覚でペダル１０に伝わり、その結果有効なトレーニング効果が得られる。
【００３１】
前記フライホイル４７は、少なくともその周面が鉄、マルテンサイト系或いはフェライト系ステンレス、ニッケル、コバルトなどの強磁性体で形成され、フライホイル４７の周面に沿って磁石片を帯状に並べた磁石ベルト５０を取り付けることにより、負荷手段５３を装備している。そしてこの負荷手段５３の磁力作用によって、フライホイル４７の回転に一定の制動を加え、その結果ペダル１０の回動動作に一定の負荷が与えられる。なお、前記磁石ベルト５０の一端を引くワイヤ５１をハンドル軸３に取り付けた調整ノブ５２の操作によって、磁石ベルト５０とフライホイル４７との間隙を調整すると、磁力強さを加減してペダル１０にかかる負荷を調整できる。
【００３２】
前記昇降手段１３は、前記回転手段１２の回転駆動を用いて、前記ハンドル４及びサドル７を昇降させるものであり、ペダリングに連動して回動するカム輪１４と、揺動アーム１５とを含む。前記カム輪１４は、図５に示すように、本形態では楕円形をなし、前記枢支軸９に軸着される。そのため、ペダル１０を足漕ぎしてクランクアーム１１を回動させると、カム輪１４は、これに一体となって回動する。そして、このカム輪１４の上向き面には、前記ハンドル軸３下端のローラー２４が摺接している。尚、略三角形状、略四角形状などのカム輪１４を用いて、ペダル動作に対する昇降のピッチを速めることもでき、或いは偏心カムを用いることも良い。
【００３３】
前記揺動アーム１５は、図５に示すように、前後に長く配置されるとともに、その略中央部をアーム支持部４０の上端部で軸着し、天秤状に揺動可能に支持される。この揺動アーム１５の前端部には、第２のローラー５４が軸着され、この第２のローラー５４が、前記カム輪１４の下向き面に摺接している。他方揺動アーム１５の後端部は、前記サドル軸６の下部から横に突設した突片１９の下側へのびている。
【００３４】
しかして、前記サドル７に着座した使用者がペダル１０を足漕ぎするトレーニングにより前記カム輪１４が回動すると、図６に示すように、カム輪１４の上向き面に摺接するローラー２４を介して支持されるハンドル軸３は、カム輪１４によって押し上げられ、更にカム輪１４が９０度回動すると、図５に示す元の高さに戻る。このようにしてハンドル軸３は、カム輪１４の回動に連動した上下動を繰り返す。他方後端部が突片１９を介して、使用者の体重及びサドル部８の荷重により押圧されることにより、前端部が第２のローラー５４を介してカム輪１４の下向き面に摺接する揺動アーム１５は、カム輪１４の回動に伴いシーソー状の揺動を繰り返す。そして図６に示すように、後端部が前記突片１９を介してサドル軸６を押し上げ、更にカム輪１４が９０度回動すると、図５に示す元の高さに戻る。このようにしてサドル軸６は、カム輪１４の回動に連動して、前記ハンドル軸３と共に上下動を繰り返す。その結果使用者のペダル１０に対する姿勢が、一定サイクルで変化を繰り返すため、狭い屋内における単純動作の運動であっても、前記姿勢の変化によって、異なる部位の筋肉に対して負荷が加わるとともに、同じ筋肉に対しても負荷が微妙に変化して、バランスのとれたトレーニング効果が得られる。更に、単純なペダリング運動であっても、一定周期で繰り返される上下動によって、軽快なリズム感が生まれ、単調になりがちな屋内トレーニングに躍動感が加わり、運動を飽きることなく楽しむことができる。
【００３５】
またペダル１０の足漕ぎの力によって、ハンドル又はサドルを押し上げるため、その上昇時にペダルの回転負荷が増加して運動量を高め、トレーニング効果を向上させている。しかも前記回転負荷は周期的に増減が繰り返されるため、波状負荷を受ける筋肉を有効に刺激でき、筋力アップの効果が高まる。
【００３６】
しかも昇降手段１３のカム輪１４に対しては、その上向き面で摺接するハンドル軸３を押し上げることにより下向きの負荷がかかり、他方揺動アーム１５には下向き面で摺接するため、上向きの負荷がかかる。そのため上下方向にかかる負荷が相殺し合って、その結果カム輪１４を支持する枢支軸９に対する曲げ負荷が低減されて、滑らかなペダル１０の回動が得られるとともに機器が小型化できて屋内運動機器として便利に使用しうる。
【００３７】
更に本形態では、小刻みな上下動を繰り返すハンドル軸３、及びサドル軸６は、ハンドル支持筒１６、及びサドル支持筒１８内に挿入して支持されるため、摩擦を低減してスムースに昇降できる。その結果ペダル１０の回動動作が滑らかとなり、使用者の膝、足首などに無理な負担がかかることがない。
【００３８】
図４に示すように、ハンドル軸３の下部には、前記クランク支持部３５との間にバネ２５を架け渡し、前記ローラー２４をカム輪１４に向けて押し付ける押圧手段２６を設けている。この押圧手段２６により、例えカム輪１４の回転スピードが高速になっても、ハンドル軸３が跳ね上がることなく、ローラー２４がカム輪１４表面に沿って滑らかに転動できる。そしてその結果ハンドル軸３はガタつくことなく、滑らかに上下動しうる。
【００３９】
前記解除手段２０は、ハンドル４、及びサドル７の上下動を、各々選択して個別に停止できるものであって、ハンドル部５に設けるハンドル軸保持手段２１と、サドル部８に設けるサドル軸保持手段２２とからなる。
【００４０】
前記ハンドル軸保持手段２１は、図４に示すように、ハンドル支持筒１６に形成された前の支持孔３９と、図５に示すように、ハンドル軸３の前の保持孔４２と、これらを連続して貫通する前の支持ピン２３Ｆとにより形成される。図７に示すように、ハンドル軸３を少し持上げると、前の支持孔３９と前の保持孔４２とは高さが一致して連通し、前記前の支持ピン２３Ｆが、前の支持孔３９及び前の保持孔４２内に連続して挿入される。しかしてハンドル軸３は、前の支持ピン２３Ｆに支持されてこの高さ位置で固定されるため、その下端に設けた前記ローラー２４が、回動するカム輪１４の周面から上へ離れる。その結果ハンドル４は、ペダリング運動により回動するカム輪１４に押し上げられることがなくなり、上下動が止まって静止する。なお、前の支持ピン２３Ｆが使用されない時には、図１に示すように、ハンドル軸３前面のクリップ状のホルダ５５に弾性係合して仮置きされる。
【００４１】
また前記サドル軸保持手段２２は、図４に示すように、サドル支持筒１８に形成された後の支持孔３８と、図５に示すように、サドル軸６の後の保持孔４４と、チェーン５６を介してサドル支持筒１８に取り付けられた後の支持ピン２３Ｂとにより形成される。図７に示すように、サドル軸６を少し持上げると、後の支持孔３９と後の保持孔４２とは高さが一致して連通し、前記後の支持ピン２３Ｂが、後の支持孔３９及び後前の保持孔４２内に連続して挿入される。しかしてサドル軸６は、後の支持ピン２３Ｂに支持されてこの高さ位置で固定されるため、その下端に設けた前記突片１９は、回動するカム輪１４に連係して揺動する揺動アーム１５の後端部から上へ離れて位置する。その結果サドル７は、ペダリング運動によって揺動する揺動アーム１５に押し上げられることがなくなり、上下動が止まって静止する。
【００４２】
このように、ハンドル４、サドル７の上下動を停止しうるハンドル軸保持手段２１、サドル軸保持手段２２を個別に設けて、上下動の停止を別々に選択できる解除手段２０を有するため、その組み合わせによって、ハンドル４及びサドル７がともに上下動する共動モード、サドル７のみが上下動するサドル振動モード、ハンドル４のみが上下動するハンドル振動モード、ハンドル４及びサドル７がともに静止する静止モードを含む４種類の動作モードを選択してペダル漕ぎ運動できる。これらを切り替えて運動負荷を増減することにより、疲労度、体力に応じた運動量を選択できる。さらには各モードの変更により、トレーニングに種々の変化が生まれ、気分転換を図りながら楽しくトレーニングでき、或いは個人の好みによるモード選択も自由に行なえる。
【００４３】
更に本形態の解除手段２０は、ハンドル支持筒１６及びこれに挿通したハンドル軸３、又はサドル支持筒１８及びこれに挿通したサドル軸６を連続して貫通する支持ピン２３によって、カム輪１４との連係動作を切り離す簡単な構造を用いるため、簡単な操作によってハンドル４、サドル７の昇降動作を確実に解除できる点で好ましい。
【００４４】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００４５】
【図１】本考案の一実施の形態を例示する正面図である。
【図２】その側面図である。
【図３】その平面図である。
【図４】その要部拡大図である。
【図５】その動作状態を説明する要部拡大図である。
【図６】他の動作状態を説明する要部拡大図である。
【図７】更に他の動作状態を説明する要部拡大図である。
【図８】従来例の正面図である。
【図９】他の従来例の略図である。
【符号の説明】
【００４６】
１      身体鍛錬器
２      基枠部
３      ハンドル軸
４      ハンドル
５      ハンドル部
６      サドル軸
７      サドル
８      サドル部
９      枢支軸
１０      ペダル
１１      クランクアーム
１２      回転手段
１３      昇降手段
１４      カム輪
１５      揺動アーム
１６      ハンドル支持筒
１７      スリット
１８      サドル支持筒
１９      突片
２０      解除手段
２１      ハンドル軸保持手段
２２      サドル軸保持手段
２３      支持ピン
２４      ローラー
２５      バネ
２６      押圧手段
【図１】
0003118248.tif 000003
【図２】
0003118248.tif 000004
【図３】
0003118248.tif 000005
【図４】
0003118248.tif 000006
【図５】
0003118248.tif 000007
【図６】
0003118248.tif 000008
【図７】
0003118248.tif 000009
【図８】
0003118248.tif 000010
【図９】
0003118248.tif 000011